【手続補正書】
【提出日】平成15年12月15日(2003.12.15)
【手続補正１】
【補正対象書類名】特許請求の範囲
【補正対象項目名】全文
【補正方法】変更
【補正の内容】
【特許請求の範囲】
【請求項１】
カチオン重合性のモノマーと室温で化学的に不活性のカチオン性開始剤との混合物を生成する段階；
前記混合物を真空中でフラッシュ蒸発して前記混合物の蒸気を生成する段階；
前記混合物の蒸気を低温凝縮する段階；
低温凝縮された前記混合物を高エネルギー照射により固体ポリマーとする段階：
から成る、固体ポリマー構造体形成プロセス。
【請求項２】
前記低温凝縮が基板上で行われる：
請求項１の固体ポリマー形成プロセス。
【請求項３】
前記低温凝縮が無機物質が蒸着された基板上で行われる：
請求項１の固体ポリマー形成プロセス。
【請求項４】
さらに、前記固体ポリマーの上に無機物質を真空蒸着する段階：
から成る、請求項１，請求項２又は請求項３の固体ポリマー構造体形成プロセス。
【請求項５】
さらに、前記混合物を前記無機物質上に低温凝縮する段階；
低温凝縮された前記混合物を高エネルギー照射により固体ポリマーとする段階：
該固体ポリマーの上に前記無機物質を真空蒸着する段階：
をくり返し行って多層構造を形成する、請求項４の固体ポリマー構造体形成プロセス。
【請求項６】
前記モノマーが、エポキシ，脂環式エポキシ，ビニルエーテル，スチレン，スチレン誘導体，グリシジル誘導体，ビニルピリジン，ビニルカルバゾール，ビニルカルバゾール誘導体，ビニルイミダゾール，ビニルイミダゾール誘導体，オキセタン，ジエン，及びこれらの混合物からなるグループから選ばれる：
請求項１の固体ポリマー構造形成プロセス。
【請求項７】
前記開始剤が、ジアリルヨードニウム塩，トリアリルスルホニウム塩，及びこれらの混合物からなるグループから選ばれる：
請求項１の固体ポリマー構造形成プロセス。
【請求項８】
前記モノマーが、脂環式エポキシであり；
前記開始剤が、ジアリルヨードニウム塩であり；
前記モノマーと前記開始剤を用いて金属，セラミック，及びプラスチックの基板への付着に適応する収縮度の低いフィルムを形成する：
請求項１の固体ポリマー構造形成プロセス。
【請求項９】
前記モノマーが、脂環式エポキシ，炭化水素スチレン誘導体，又はこれらの混合物からなるグループから選ばれ；
前記開始剤がジアリルヨードニウム塩であり；
前記モノマーと前記開始材を用いて気体防護性及び蒸気防護性の被覆を形成する：
請求項１の固体ポリマー構造形成プロセス。
【請求項１０】
前記モノマーが、過フッ化ジビニルエーテル，過フッ化エポキシ，又はこれらの混合物からなるグループから選ばれ；
前記開始剤がジアリルヨードニウム塩であり；
前記モノマーと前記開始材を用いて耐スマッジ性，抗汚染性の被覆を形成する：
請求項１の固体ポリマー構造形成プロセス。
【請求項１１】
前記モノマーが、ジビニルベンゼン，ジエン，又はこれらの混合物からなるグループから選ばれ；
前記開始剤が、ジアリルヨードニウム塩であり；
前記モノマーと前記開始材を用いて赤外線透過性，化学的不活性の被覆を形成する：
請求項１の固体ポリマー構造形成プロセス。
【請求項１２】
前記モノマーが、ジビニルベンゼン，ジエン，又はこれらの混合物からなるグループから選ばれ；
前記開始剤がジアリルヨードニウム塩であり；
前記モノマーと前記開始材を用いて誘電率が低く，絶縁耐力が高く，散逸係数の低い被覆を形成する：
請求項１の固体ポリマー構造形成プロセス。
【請求項１３】
前記モノマーが、Ｎ−ビニルカルバゾール，ビニルピリジン，ビニルイミダゾール，ジビニルベンゼン，又はこれらの混合物からなるグループから選ばれ；
前記光開始剤が、ジアリルヨードニウム塩であり；
前記モノマーと前記開始材を用いて光伝導性とルミネセンス性の特性をそなえたフォトニック被覆を形成する：
請求項１の固体ポリマー構造形成プロセス。
【請求項１４】
前記無機物質が、アルミニウム，酸化アルミニウム，酸化ケイ素，及びこれらの混合物からなるグループから選ばれる：
請求項３又は請求項４の固体ポリマー構造形成プロセス。
【請求項１５】
前記無機物質が、アルミニウム，酸化アルミニウム，酸化ケイ素，及びこれらの混合物からなるグループから選ばれる：
請求項３又は請求項４の固体ポリマー構造形成プロセス。
【請求項１６】
前記基板が、ポリプロピレン，ポリエチレン，ポリテトラフルオロエチレン，ポリエチレングリコールテレフタラート，ポリイミド，ポリアミド，ポリフェニルスルフィド，ポリカーボネート，及びセルロース誘導体からなるグループから選ばれる：
請求項２又は請求項３の固体ポリマー構造形成プロセス。
【請求項１７】
前記基板が、ポリプロピレン，ポリエチレン，ポリテトラフルオロエチレン，ポリエチレングリコールテレフタラート，ポリイミド，ポリアミド，ポリフェニルスルフィド，ポリカーボネート，及びセルロース誘導体からなるグループから選ばれる：
請求項２又は請求項３の固体ポリマー構造形成プロセス。
【請求項１８】
前記高エネルギー照射が、電子線である：
請求項１の固体ポリマー構造形成プロセス。
【請求項１９】
前記高エネルギー照射が、紫外線である：
請求項１の固体ポリマー構造形成プロセス。
【請求項２０】
前記カチオン重合性のモノマーと、前記開始剤の混合物が、遊離基重合性モノマーも含む：
請求項１の固体ポリマー構造形成プロセス。
【請求項２１】
真空蒸発器の真空圧力と蒸発器温度で蒸発することなく、分解することのないカチオン重合性モノマーと、真空蒸発器の真空圧力と蒸発器温度で蒸発することなく、分解することのないカチオン性開始剤との混合物を生成する段階；
前記混合物を真空中でフラッシュ蒸発して前記混合物の蒸気を生成する段階；
前記混合物の蒸気を基板上で低温凝縮する段階；
低温凝縮された前記混合物を高エネルギー照射により固体ポリマーとする段階：
から成る、固体ポリマー構造体形成プロセス。
【請求項２２】
前記真空圧力が、約１０−１〜１０−６Torrである：
請求項２１の固体ポリマー構造体形成プロセス。
【請求項２３】
前記蒸発器温度が、約７０℃〜３５０℃である：
請求項２１の固体ポリマー構造体形成プロセス。
【請求項２４】
前記所定の低温凝縮温度が、約−２０℃〜３０℃である：
請求項２１の固体ポリマー構造体形成プロセス。
【請求項２５】
前記真空圧力が、約１０−１〜１０−６Torrであり；
前記蒸発器温度が、約７０℃〜３５０℃であり；
前記所定の低温凝縮温度が、約−２０℃〜３０℃である：
請求項２１の固体ポリマー構造体形成プロセス。
【請求項２６】
さらに、前記固体のポリマーフィルム上で無機物質を真空蒸着する段階：
を含む請求項２１の固体ポリマー構造体形成プロセス。
【請求項２７】
前記低温凝縮が無機物質が蒸着された基板上で行われる；
請求項２１の固体ポリマー形成プロセス。
【請求項２８】
カチオン重合性のモノマーと室温で化学的に不活性のカチオン性開始剤との混合物を生成し；
前記混合物を真空中でフラッシュ蒸発して前記混合物の蒸気を生成し；
前記混合物の蒸気を低温凝縮し；
低温凝縮された前記混合物を高エネルギー照射により固体ポリマーとする：
ことにより形成された、固体ポリマー構造体。
【請求項２９】
カチオン重合性のモノマーと室温で化学的に不活性のカチオン性開始剤との混合物を生成し；
前記混合物を真空中でフラッシュ蒸発して前記混合物の蒸気を生成し；
前記混合物の蒸気を基板上で低温凝縮し；
低温凝縮された前記混合物を高エネルギー照射により固体ポリマーとする：
ことにより形成された、固体ポリマー構造体。
【請求項３０】
カチオン重合性のモノマーと室温で化学的に不活性のカチオン性開始剤との混合物を生成し；
前記混合物を真空中でフラッシュ蒸発して前記混合物の蒸気を生成し；
前記混合物の蒸気を無機物質が蒸着された基板上で低温凝縮し；
低温凝縮された前記混合物を高エネルギー照射により固体ポリマーとする：
ことにより形成された、固体ポリマー構造体。
【請求項３１】
カチオン重合性のモノマーと室温で化学的に不活性のカチオン性開始剤との混合物を生成し；
前記混合物を真空中でフラッシュ蒸発して前記混合物の蒸気を生成し；
前記混合物の蒸気を低温凝縮し；
低温凝縮された前記混合物を高エネルギー照射により固体ポリマーとし；
前記固体ポリマーの上に無機物質を真空蒸着する：
ことにより形成された、固体ポリマー構造体。
【請求項３２】
カチオン重合性のモノマーと室温で化学的に不活性のカチオン性開始剤との混合物を生成し；
前記混合物を真空中でフラッシュ蒸発して前記混合物の蒸気を生成し；
前記混合物の蒸気を基板上で低温凝縮し；
低温凝縮された前記混合物を高エネルギー照射により固体ポリマーとし：
前記固体ポリマーの上に無機物質を真空蒸着する：
ことにより形成された、固体ポリマー構造体。
【請求項３３】
カチオン重合性のモノマーと室温で化学的に不活性のカチオン性開始剤との混合物を生成し；
前記混合物を真空中でフラッシュ蒸発して前記混合物の蒸気を生成し；
前記混合物の蒸気を無機物質が蒸着された基板上で低温凝縮し；
低温凝縮された前記混合物を高エネルギー照射により固体ポリマーとし：
前記固体ポリマーの上に無機物質を真空蒸着する：
ことにより形成された、固体ポリマー構造体。
【請求項３４】
カチオン重合性のモノマーと室温で化学的に不活性のカチオン性開始剤との混合物を生成し；
前記混合物を真空中でフラッシュ蒸発して前記混合物の蒸気を生成し；
前記混合物の蒸気を低温凝縮し；
低温凝縮された前記混合物を高エネルギー照射により固体ポリマーとし；
前記固体ポリマーの上に無機物質を真空蒸着し；
さらに、
前記混合物を前記無機物質上に低温凝縮し；
低温凝縮された前記混合物を高エネルギー照射により固体ポリマーとし；
該固体ポリマーの上に無機物質を真空蒸着する：
ことをくり返し行うことにより形成された、固体ポリマー構造体。
【請求項３５】
カチオン重合性のモノマーと室温で化学的に不活性のカチオン性開始剤との混合物を生成し；
前記混合物を真空中でフラッシュ蒸発して前記混合物の蒸気を生成し；
前記混合物の蒸気を基板上で低温凝縮し；
低温凝縮された前記混合物を高エネルギー照射により固体ポリマーとし：
前記固体ポリマーの上に無機物質を真空蒸着し：
さらに、
前記混合物を前記無機物質上に低温凝縮し；
低温凝縮された前記混合物を高エネルギー照射により固体ポリマーとし：
該固体ポリマーの上に無機物質を真空蒸着する：
ことをくり返し行うことにより形成された、固体ポリマー構造体。
【請求項３６】
カチオン重合性のモノマーと室温で化学的に不活性のカチオン性開始剤との混合物を生成し；
前記混合物を真空中でフラッシュ蒸発して前記混合物の蒸気を生成し；
前記混合物の蒸気を無機物質が蒸着された基板上で低温凝縮し；
低温凝縮された前記混合物を高エネルギー照射により固体ポリマーとし：
前記固体ポリマーの上に無機物質を真空蒸着し：
さらに、
前記混合物を前記無機物質上に低温凝縮し；
低温凝縮された前記混合物を高エネルギー照射により固体ポリマーとし；
該固体ポリマーの上に無機物質を真空蒸着する：
ことをくり返し行うことにより形成された、固体ポリマー構造体。
【請求項３７】
遊離基重合性モノマーを含むカチオン重合性のモノマーと室温で化学的に不活性のカチオン性開始剤との混合物を生成し；
前記混合物を真空中でフラッシュ蒸発して前記混合物の蒸気を生成し；
前記混合物の蒸気を低温凝縮し；
低温凝縮された前記混合物を高エネルギー照射により固体ポリマーとする：
ことにより形成された、固体ポリマー構造体。
【手続補正２】
【補正対象書類名】明細書
【補正対象項目名】発明の名称
【補正方法】変更
【補正の内容】
【発明の名称】固体ポリマー構造体形成プロセス及び固体ポリマー構造体